(57)【要約】【課題】機器の製品名等の情報表示を行うに際し、コストアップの抑制が図られるとともに、リサイクル及び省資源化対策が施され、環境問題に対応した表示装置を提供する。【解決手段】表示装置１０は、ベース部材である前面カバー８に設けた凹部１１、機器情報を記載した表示シート１２、透明部材１３、及び表示カバー部材１４を備える。表示装置１０は、凹部１１に載置した表示シート１２をカバーするように、透明部材１３を凹部１１に設けて、表示カバー部材１４によってこれらを保持する。これにより、機器情報を変更する必要がある場合、表示シート１２を交換するだけで済む。したがって、合成樹脂製の表示板を使用する場合と比較して、表示シート１２の作成や表示の印刷等に必要な材料や装置、金型、加工等に関して、省資源化を図ることができるとともに、リサイクル性、コストアップの抑制についてもその性能を向上させることが可能となる。【選択図】図２
2007140258.tif 000002
【特許請求の範囲】
【請求項１】
ベース部材に設けた凹部と、機器情報を記載した表示シートと、透明部材とを備え、前記凹部に載置した前記表示シートをカバーするように、前記透明部材を前記凹部に設けたことを特徴とする表示装置。
【請求項２】
前記凹部に、前記表示シートに向かって突出する突起を設けるとともに、この突起が貫通する貫通孔を表示シートに設けたことを特徴とする請求項１に記載の表示装置。
【請求項３】
ベース部材に設けた凹部と、機器情報を記載した表示シートと、透明部材とを備え、前記透明部材に前記表示シートを収容する表示シート収容部を形成して、透明部材を前記凹部に設けたことを特徴とする表示装置。
【請求項４】
前記透明部材は、着脱自在に前記凹部に設けたことを特徴とする請求項１〜請求項３のいずれか１項に記載の表示装置。
【請求項５】
前記透明部材は、前記凹部に回動自在に設けられ、凹部に対して閉鎖、開放両様の姿勢をとり得るものであることを特徴とする請求項１〜請求項３のいずれか１項に記載の表示装置。
【請求項６】
前記表示シートは、紙で構成されることを特徴とする請求項１〜請求項５のいずれか１項に記載の表示装置。
【請求項７】
請求項１〜請求項６のいずれか１項に記載の表示装置を搭載したことを特徴とする画像形成装置。
【発明の詳細な説明】
【技術分野】
【０００１】
本発明は、機器の製品名や機種名、性能、機能、仕様、操作方法、誤動作対処方法等の情報表示のために用いられる表示装置に関する。また、この表示装置を搭載した画像形成装置に関する。
【背景技術】
【０００２】
複写機やプリンタに代表される画像形成装置等の機器には、その外装カバーに、機器の製品名や機種名、性能、機能、仕様、操作方法、誤動作対処方法等の情報表示を行うのが一般的である。このような機器情報の表示には、機器の外装カバーに直接印刷や凹凸のある成形を施したり、表示を印刷したシート部材を接着剤や両面テープ等の粘着部材を用いて貼付したりするといった方法が用いられている。
【０００３】
しかしながら、上記のような機器情報の表示手法では、次のような問題が生じる。機器の外装カバーに直接印刷や凹凸のある成形を施す場合には、異なる機種で外装カバーを共用する際や、様々な国に輸出する際に、機種や使用言語毎に印刷や成形を変更する必要がある。これにより、印刷や成形に係る装置や治具、加工が必要となり、大幅なコストアップが生じる恐れがある。また、表示を印刷したシート部材を接着剤や両面テープ等の粘着部材を用いて貼付する場合には、機器をリサイクルする際にシート部材を剥がす必要があり、その作業性が悪いことが懸念されている。そこで、これらの問題に対して、コストアップやリサイクル時の作業性の悪化を防止して、機器の外装カバーに製品名や機種名等の情報表示を行う手法が提案され、その例を特許文献１に見ることができる。
【０００４】
特許文献１に記載の機器における表示板取付方法は、機器情報を印刷した合成樹脂製のプレート状の表示板が、着脱自在に機器の外装カバーに設けられ、表示板を外装カバーに取り付け後に機器の輸出先が変更になった際には、表示板のみを交換して対処できるようにしている。
【特許文献１】特開平９−２１８５５０号公報（第２−３頁、図２）
【発明の開示】
【発明が解決しようとする課題】
【０００５】
特許文献１に記載の機器における表示板取付方法は、機器情報を変更する必要がある場合、合成樹脂製の表示板を交換するだけで済むので、外装カバーに表示を直接印刷したり、接着剤等を使用して表示シートを貼付したりすることと比較すると、コストアップやリサイクル時の作業性悪化の防止に対しては効果があると考えられる。しかしながら、合成樹脂製の表示板を交換するだけであるとしても、その表示板の成形や表示の印刷等に多くの材料や装置、金型、加工等が必要になるので、昨今様々な分野で推し進められている省資源化という観点から好ましくない。さらに、リサイクル性の向上、コストアップの防止についても、効果を上げるための改善の余地があると考えられる。
【０００６】
本発明は上記の点に鑑みなされたものであり、機器の製品名や機種名、性能、操作方法等の情報表示を行うに際し、コストアップの抑制が図られるとともに、リサイクル、及び省資源化対策が施され、環境問題に対応した表示装置を提供することを目的とする。また、このような表示装置を搭載した画像形成装置を提供することを目的とする。
【課題を解決するための手段】
【０００７】
上記の課題を解決するため、本発明は、ベース部材に設けた凹部と、機器情報を記載した表示シートと、透明部材とを備え、前記凹部に載置した前記表示シートをカバーするように、前記透明部材を前記凹部に設けることとした。
【０００８】
また、上記構成の表示装置において、前記凹部に、前記表示シートに向かって突出する突起を設けるとともに、この突起が貫通する貫通孔を表示シートに設けることとした。
【０００９】
また、本発明は、ベース部材に設けた凹部と、機器情報を記載した表示シートと、透明部材とを備え、前記透明部材に前記表示シートを収容する表示シート収容部を形成して、透明部材を前記凹部に設けることとした。
【００１０】
また、上記構成の表示装置において、前記透明部材は、着脱自在に前記凹部に設けることとした。
【００１１】
また、上記構成の表示装置において、前記透明部材は、前記凹部に回動自在に設けられ、凹部に対して閉鎖、開放両様の姿勢をとり得るものであることとした。
【００１２】
また、上記構成の表示装置において、前記表示シートは、紙で構成されることとした。
【００１３】
また本発明では、上記表示装置を画像形成装置に搭載することとした。
【発明の効果】
【００１４】
本発明の構成によれば、ベース部材に設けた凹部と、機器情報を記載した表示シートと、透明部材とを備え、前記凹部に載置した表示シートをカバーするように、透明部材を凹部に設けることとしたので、機器情報を変更する必要がある場合、表示シートを交換するだけで済む。これにより、合成樹脂製の表示板を使用する場合と比較して、表示シートの作成や表示の印刷等に必要な材料や装置、金型、加工等に関して、省資源化を図ることができるとともに、リサイクル性、コストアップの抑制についてもその性能を向上させることが可能となる。このようにして、コストアップの抑制が図られるとともに、リサイクル、省資源化対策が施され、環境問題に対応した表示装置を得ることができる。
【００１５】
また、凹部に、表示シートに向かって突出する突起を設けるとともに、この突起が貫通する貫通孔を表示シートに設けることとしたので、容易に表示シートの位置決めを行うことが可能となる。したがって、上記のように省資源化、リサイクル性が考慮された表示装置に対して、表示の視認性も向上させることが可能となる。
【００１６】
また、ベース部材に設けた凹部と、機器情報を記載した表示シートと、透明部材とを備え、透明部材に表示シートを収容する表示シート収容部を形成して、透明部材を前記凹部に設けることとしたので、機器情報を変更する必要がある場合、表示シートを交換するだけで済む。さらに、表示シートの位置決めも容易に行うことができ、表示の視認性を向上させることが可能となる。したがって、表示シートの作成や表示の印刷等に必要な材料や装置、金型、加工等に関して、省資源化を図ることができるとともに、リサイクル性、コストアップの抑制、及び表示の視認性についてもその性能を向上させることができる。
【００１７】
また、透明部材は、着脱自在に凹部に設けることとしたので、簡単に表示シートを交換することができる。また、通常、透明な材料でその全体が構成されることのない外装カバーに対して、透明部材を別部品として、容易に外装カバーから取り外すことができる。これにより、表示装置のリサイクル性、及びリサイクル時の作業性をさらに向上させることが可能となる。
【００１８】
また、透明部材は、凹部に回動自在に設けられ、凹部に対して閉鎖、開放両様の姿勢をとり得るものであることとしたので、透明部材を凹部から脱落しないようにすることができる。これにより、透明部材の紛失を抑制することができ、表示装置の省資源化をさらに向上させることが可能となる。また、リサイクル時の作業性も高められる。
【００１９】
また、表示シートは、紙で構成されることとしたので、表示シートの作成や表示の印刷等に必要な装置や加工に関して、従来の汎用のものを利用することができる。さらに、合成樹脂の表示板と比較して、表示シート自身は、安価で、リサイクル性が好適である。したがって、表示装置のリサイクル性、省資源化をより一層向上させ、コストアップの抑制も強化することが可能となる。
【００２０】
また本発明では、上記表示装置を画像形成装置に搭載することとしたので、機器の製品名や機種名、性能、操作方法等の情報表示を行うに際し、コストアップの抑制が図られるとともに、リサイクル、及び省資源化対策が施され、環境問題に対応した画像形成装置を得ることができる。
【発明を実施するための最良の形態】
【００２１】
以下、本発明の実施形態を図１〜図８に基づき説明する。ここでは、本発明の表示装置を搭載した機器の一例として画像形成装置（プリンタ）を挙げて説明するものとする。
【００２２】
最初に、本発明の第１の実施形態に係る表示装置について、図１、及び図２を用いてその構造を説明する。図１は表示装置を搭載したプリンタの模型的斜視図、図２はプリンタの前面カバーの拡大斜視図である。
【００２３】
図１に示すように、プリンタ１の本体２は、外装カバー３で覆われている。そして、プリンタ１は、本体２の下部に給紙カセット４を備えている。給紙カセット４は、本体２に対して、その前面側から水平に引き出すことができ、ここに印刷前の用紙が積まれて収容されている。本体２前面であって、給紙カセット４の上方には、手差し給紙トレイ５が設けられている。この手差し給紙トレイ５は、本体２の前面側に回動して開放可能であり、ここに給紙カセット４に入っていないサイズの用紙や、ＯＨＰシートのように１枚ずつ送り込みたいものが載置される。そして、本体２の上部には、用紙排出トレイ６が設けられている。給紙カセット４や手差し給紙トレイ５から送り出された用紙は、本体２内部の図示しない画像形成部や定着部等を通過して、その表面に画像が形成された後、用紙排出口７から用紙排出トレイ６に排出される。
【００２４】
本体２の前面には、その上部に、表示装置１０が設けられている。表示装置１０は、プリンタ１のメーカー名や機種名を表示するためのものである。
【００２５】
図２に示すように、表示装置１０は、ベース部材である前面カバー８に設けられている。前面カバー８は、外装カバー３の、本体２前面側の一部分を構成している。そして、表示装置１０は、ベース部材であるこの前面カバー８に凹部１１を備えている。凹部１１は、本体２内部側に向かって窪んだ形で形成されている。凹部１１の内部には、横方向に並べて配置され、前方に向かって突出する２本の突起１１ａと、２箇所の係合孔１１ｂとが設けられている。
【００２６】
また、表示装置１０は、表示シート１２と、透明部材１３と、表示カバー部材１４とを備えている。
【００２７】
表示シート１２は、紙で構成され、凹部１１の内部に収容できる大きさである。表示シート１２には、メーカー名や機種名といった機器情報が記載されている。表示シート１２の横方向両側には、貫通孔１２ａが各１箇所ずつ設けられている。この貫通孔１２ａは、凹部１１の突起１１ａを受け入れる大きさであり、突起１１ａに対応する箇所に設けられている。表示シート１２を凹部１１に収容する際、表示シート１２に向かって突出する突起１１ａが貫通孔１２ａを貫通するようにして収容する。
【００２８】
透明部材１３は、透明の合成樹脂で構成され、凹部１１の内部に収容できる大きさである。透明部材１３は、表示シート１２の前方に、表示シート１２をカバーするように凹部１１に設けられる。透明部材１３の横方向両側には、貫通孔１３ａが各１箇所ずつ設けられている。この貫通孔１３ａは、凹部１１の突起１１ａを受け入れる大きさであり、突起１１ａに対応する箇所に設けられている。透明部材１３を凹部１１に収容する際、突起１１ａが貫通孔１３ａを貫通するようにして収容する。なお、突起１１ａは、次の表示カバー部材１４にまでは到達しない程度の長さを有している。
【００２９】
表示カバー部材１４は、前面カバー８と同色或いは異なる色の合成樹脂で構成され、凹部１１の内部に収容できる大きさである。表示カバー部材１４は、透明部材１３の前方に、透明部材１３をカバーするように凹部１１に設けられる。表示カバー部材１４の横方向両側には、前面カバー８に向かって延びるフック１４ａが各１本ずつ設けられている。表示カバー部材１４は、このフック１４ａを、凹部１１に設けられた係合孔１１ｂに挿入して引っ掛けることにより、表示シート１２、及び透明部材１３を保持しつつ、凹部１１から脱落しないように取り付けることができる。フック１４ａを係合孔１１ｂに引っ掛けたり、それを解除したりすることにより、表示カバー部材１４、透明部材１３、及び表示シート１２は、着脱自在に凹部１１に設けられる。また、表示カバー部材１４を凹部１１に取り付けると、前面カバー８の表面と、表示カバー部材１４の表面とがほぼ面一の状態になる。
【００３０】
このようにして、ベース部材である前面カバー８に設けた凹部１１と、機器情報を記載した表示シート１２と、透明部材１３とを備え、凹部１１に載置した表示シート１２をカバーするように、透明部材１３を凹部１１に設けたので、機器情報を変更する必要がある場合、表示シート１２を交換するだけで済む。これにより、合成樹脂製の表示板を使用する場合と比較して、表示シート１２の作成や表示の印刷等に必要な材料や装置、金型、加工等に関して、省資源化を図ることができるとともに、リサイクル性、コストアップの抑制についてもその性能を向上させることが可能となる。このようにして、コストアップの抑制が図られるとともに、リサイクル、省資源化対策が施され、環境問題に対応した表示装置１０を得ることができる。
【００３１】
また、凹部１１に、表示シート１２に向かって突出する突起１１ａを設けるとともに、この突起１１ａが貫通する貫通孔１２ａを表示シート１２に設けたので、容易に表示シート１２の位置決めを行うことが可能となる。したがって、上記のように省資源化、リサイクル性が考慮された表示装置１０に対して、表示の視認性も向上させることが可能となる。
【００３２】
そして、透明部材１３は、着脱自在に凹部１１に設けたので、簡単に表示シート１２を交換することができる。また、通常、透明な材料でその全体が構成されることのない前面カバー８に対して、透明部材１３を別部品として、容易に前面カバー８から取り外すことができる。これにより、表示装置１０のリサイクル性、及びリサイクル時の作業性をさらに向上させることが可能となる。
【００３３】
さらに、表示シート１２は、紙で構成されているので、表示シート１２の作成や表示の印刷等に必要な装置や加工に関して、従来の汎用のものを利用することができる。さらに、合成樹脂の表示板と比較して、表示シート１２自身は、安価で、リサイクル性が好適である。したがって、表示装置１０のリサイクル性、省資源化をより一層向上させ、コストアップの抑制も強化することが可能となる。
【００３４】
また本発明では、上記表示装置１０を画像形成装置であるプリンタ１に搭載したので、機器の製品名や機種名、性能、操作方法等の情報表示を行うに際し、コストアップの抑制が図られるとともに、リサイクル、及び省資源化対策が施され、環境問題に対応したプリンタ１を得ることができる。
【００３５】
次に、本発明の第２の実施形態に係る表示装置について、図３、及び図４を用いてその構造を説明する。図３は表示装置の部分斜視図、図４は表示装置の模型的垂直断面右側面図である。なお、この実施形態の基本的な構成は、図１、及び図２を用いて説明した前記第１の実施形態と同じであるので、第１の実施形態と共通する構成については図面の記載、及びその説明を省略するものとする。
【００３６】
図３、及び図４に示す第２の実施形態に係る表示装置１０では、透明部材１３に、表示シート１２を収容する表示シート収容部１３ｂが形成されている。表示シート収容部１３ｂは、透明部材１３の上面が開口し、下方に延びる薄くほぼ平らな凹部で構成され、表示シート１２を受け入れる大きさをなしている。なお、表示シート１２、及び透明部材１３には、第１の実施形態で見られたような貫通孔１２ａ、１３ａは設けられていない。
【００３７】
表示シート１２を凹部１１に収容するには、まず表示シート１２を透明部材１３の表示シート収容部１３ｂに収容する。そして、この透明部材１３を凹部１１に収容して、表示カバー部材１４によって保持する。第１の実施形態同様、表示カバー部材１４のフック１４ａを凹部１１の係合孔１１ｂに引っ掛けたり、それを解除したりすることにより、表示カバー部材１４、透明部材１３、及び表示シート１２は、着脱自在に凹部１１に設けられる。
【００３８】
このようにして、ベース部材である前面カバー８に設けた凹部１１と、機器情報を記載した表示シート１２と、透明部材１３とを備え、透明部材１３に表示シートを収容する表示シート収容部１３ｂを形成して、透明部材１３を凹部１１に設けたので、機器情報を変更する必要がある場合、表示シート１２を交換するだけで済む。さらに、表示シート１２の位置決めも容易に行うことができ、表示の視認性を向上させることが可能となる。したがって、表示シート１２の作成や表示の印刷等に必要な材料や装置、金型、加工等に関して、省資源化を図ることができるとともに、リサイクル性、コストアップの抑制、及び表示の視認性についてもその性能を向上させることができる。
【００３９】
次に、本発明の第３の実施形態に係る表示装置について、図５、及び図６を用いてその構造を説明する。図５は表示装置の模型的垂直断面右側面図にして、透明部材が開放姿勢にある状態を示すもの、図６は同じく表示装置の模型的垂直断面右側面図にして、透明部材が閉鎖姿勢にある状態を示すものである。なお、この実施形態の基本的な構成は、図１、及び図２を用いて説明した前記第１の実施形態と同じであるので、第１の実施形態と共通する構成については図面の記載、及びその説明を省略するものとする。
【００４０】
図５、及び図６に示す第３の実施形態に係る表示装置１０において、透明部材１３は、その下部に、横方向両側に延びる支軸１３ｃを備えている。透明部材１３は、この支軸１３ｃを中心として垂直面内で回動自在に凹部１１に支持され設けられている。そして、透明部材１３は、凹部１１に対して、図６に示す閉鎖、図５に示す開放両様の姿勢をとり得る。なお、図６に示す閉鎖姿勢にある時、透明部材１３は、図示しないストッパの作用により容易に姿勢変更できないようになっている。
【００４１】
表示シート１２を凹部１１に収容するには、まず透明部材１３を図５に示す開放姿勢に姿勢変更して、表示シート１２を凹部１１と透明部材１３との間の隙間に収容する。そして、透明部材１３を図６に示す閉鎖姿勢に姿勢変更して、表示シート１２を凹部１１内に保持する。透明部材１３の図示しないストッパを係合させたり、それを解除したりすることにより、透明部材１３を姿勢変更して、表示シート１２は着脱自在に凹部１１に設けられる。
【００４２】
このようにして、透明部材１３は、凹部１１に回動自在に設けられ、凹部１１に対して閉鎖、開放両様の姿勢をとり得るものであるので、透明部材１３を凹部１１から脱落しないようにすることができる。これにより、透明部材１３の紛失を抑制することができ、表示装置１０の省資源化をさらに向上させることが可能となる。また、リサイクル時の作業性も高められる。
【００４３】
次に、本発明の第４の実施形態に係る表示装置について、図７、及び図８を用いてその構造を説明する。図７は表示装置の模型的垂直断面右側面図にして、透明部材が開放姿勢にある状態を示すもの、図８は同じく表示装置の模型的垂直断面右側面図にして、透明部材が閉鎖姿勢にある状態を示すものである。なお、この実施形態の基本的な構成は、図３〜図６を用いて説明した前記第２、及び第３の実施形態と同じであるので、これらの実施形態と共通する構成については図面の記載、及びその説明を省略するものとする。
【００４４】
図７、及び図８に示す第４の実施形態に係る表示装置１０では、透明部材１３に、表示シート１２を収容する表示シート収容部１３ｂが形成されている。表示シート収容部１３ｂは、透明部材１３の上面が開口し、下方に延びる薄くほぼ平らな凹部で構成され、表示シート１２を受け入れる大きさをなしている。さらに、透明部材１３は、その下部に、横方向両側に延びる支軸１３ｃを備えている。透明部材１３は、この支軸１３ｃを中心として垂直面内で回動自在に凹部１１に支持され設けられている。そして、透明部材１３は、凹部１１に対して、図８に示す閉鎖、図７に示す開放両様の姿勢をとり得る。なお、図８に示す閉鎖姿勢にある時、透明部材１３は、図示しないストッパの作用により容易に姿勢変更できないようになっている。
【００４５】
表示シート１２を凹部１１に収容するには、まず透明部材１３を図７に示す開放姿勢に姿勢変更して、表示シート１２を透明部材１３の表示シート収容部１３ｂに収容する。そして、透明部材１３を図８に示す閉鎖姿勢に姿勢変更して、表示シート１２を凹部１１内に保持する。透明部材１３の図示しないストッパを係合させたり、それを解除したりすることにより、透明部材１３を姿勢変更して、表示シート１２は着脱自在に凹部１１に設けられる。
【００４６】
このようにして、前記第２の実施形態と同様に、表示シート１２の作成や表示の印刷等に関して、省資源化を図ることができるとともに、リサイクル性、コストアップの抑制、及び表示の視認性についてもその性能を向上させることができる。さらに、前記第３の実施形態と同様に、透明部材１３の紛失を抑制することができ、表示装置１０の省資源化をさらに向上させることが可能となる。また、リサイクル時の作業性も高められる。
【００４７】
以上、本発明の実施形態につき説明したが、本発明の範囲はこれに限定されるものではなく、発明の主旨を逸脱しない範囲で種々の変更を加えて実施することができる。
【００４８】
例えば、第１、及び第２の実施形態においては、表示カバー部材１４を用いて、表示シート１２、及び透明部材１３を凹部１１に保持することとしたが、表示カバー部材１４を用いることなく、透明部材１３自身にフックを形成して凹部１１に引っ掛けるようにして、表示シート１２を凹部１１に保持することとしても構わない。また、表示シート１２は、紙であることに限定されるわけではなく、薄いシート状、またはフィルム状であれば、他の材料で構成されていても構わない。
【産業上の利用可能性】
【００４９】
本発明は、機器の情報表示全般において利用可能である。
【図面の簡単な説明】
【００５０】
【図１】本発明の第１の実施形態に係る表示装置を搭載したプリンタの模型的斜視図である。
【図２】図１に示すプリンタの前面カバーの拡大斜視図である。
【図３】本発明の第２の実施形態に係る表示装置の部分斜視図である。
【図４】図３に示す表示装置の模型的垂直断面右側面図である。
【図５】本発明の第３の実施形態に係る表示装置の模型的垂直断面右側面図にして、透明部材が開放姿勢にある状態を示すものである。
【図６】図５と同様の表示装置の模型的垂直断面右側面図にして、透明部材が閉鎖姿勢にある状態を示すものである。
【図７】本発明の第４の実施形態に係る表示装置の模型的垂直断面右側面図にして、透明部材が開放姿勢にある状態を示すものである。
【図８】図７と同様の表示装置の模型的垂直断面右側面図にして、透明部材が閉鎖姿勢にある状態を示すものである。
【符号の説明】
【００５１】
１    プリンタ（機器）
２    本体
３    外装カバー
８    前面カバー（ベース部材）
１０  表示装置
１１  凹部
１１ａ  突起
１１ｂ  係合孔
１２  表示シート
１２ａ  貫通孔
１３  透明部材
１３ａ  貫通孔
１３ｂ  表示シート収容部
１３ｃ  支軸
１４  表示カバー部材
１４ａ  フック
【図１】
2007140258.tif 000003
【図２】
2007140258.tif 000004
【図３】
2007140258.tif 000005
【図４】
2007140258.tif 000006
【図５】
2007140258.tif 000007
【図６】
2007140258.tif 000008
【図７】
2007140258.tif 000009
【図８】
2007140258.tif 000010